(57)【特許請求の範囲】
【請求項１】
移動通信端末にサービスポイントを付与するサービスポイント付与サーバであって、
前記移動通信端末への着信が、予め設定された場所において予め設定された時間内にあり且つマナーモードの実行中にある、という着信条件を満たしている旨を示す第１のデータと、前記移動通信端末が前記着信に応答したか否かを示す第２のデータとを受信する受信手段と、
前記移動通信端末が前記着信に応答したか否かを前記第２のデータに基づいて判定する判定手段と、
前記第１のデータが前記受信手段により受信されたこと、及び、前記移動通信端末が前記着信に応答しなかったと前記判定手段により判定されたこと、を条件に含むサービスポイントの付与条件が満たされた場合に、該サービスポイントを前記移動通信端末に関連づけてメモリに記録するサービスポイント付与手段と、
を備え、
前記受信手段は、
前記着信を行った発信端末の位置と前記移動通信端末の位置とを含む第３のデータを受信し、
前記判定手段は、
前記発信端末の位置が前記移動通信端末の位置から所定の範囲内に有るか否かを前記第３のデータに基づいて判定し、
前記ポイント付与手段は、
前記発信端末の位置が前記移動通信端末の位置から前記範囲内に無いと前記判定手段により判定されたことを更に条件に含む前記サービスポイントの付与条件が満たされた場合に、前記サービスポイントを前記移動通信端末に関連付けて前記メモリに記録することを特徴とするサービスポイント付与サーバ。
【請求項２】
マナーモードに設定可能な移動通信端末であって、
当該移動通信端末への着信が、予め設定された場所において予め設定された時間内にあり且つ前記マナーモードの実行中にある、という着信条件を満たしているか否かを判定する判定手段と、
前記着信が前記着信条件を満たしていると前記判定手段により判定された場合に、請求項１に記載のサービスポイント付与サーバ宛に、前記判定手段による判定結果を示すデータを送信する送信手段と、
を備える、ことを特徴とする移動通信端末。
【請求項３】
マナーモードに設定可能な移動通信端末にサービスポイントを付与するサービスポイント付与方法であって、
前記移動通信端末への着信が、予め設定された場所において予め設定された時間内にあり且つ前記マナーモードの実行中にある、という着信条件を満たしているか否かを判定する第１の判定ステップと、
前記移動通信端末が前記着信に応答したか否かを判定する第２の判定ステップと、
前記着信を行った発信端末の位置が前記移動通信端末の位置から所定の範囲内に有るか否かを判定する第３の判定ステップと、
前記着信が前記着信条件を満たしていると前記第１の判定ステップにおいて判定されたこと、及び、前記移動通信端末が前記着信に応答しなかったと前記第２の判定ステップにおいて判定されたこと、前記発信端末の位置が前記移動通信端末の位置から前記範囲内に無いと前記第３の判定ステップにおいて判定されたことを条件に含むサービスポイントの付与条件が満たされた場合に、該サービスポイントを前記移動通信端末に関連づけてメモリに記録するサービスポイント付与ステップと、
を有する、ことを特徴とするサービスポイント付与方法。
【発明の詳細な説明】
【技術分野】
【０００１】
本発明は、マナーモードに設定可能な移動通信端末と、この移動通信端末にサービスポイントを付与するサービスポイント付与サーバと、この移動通信端末にサービスポイントを付与するサービスポイント付与方法とに関する。
【背景技術】
【０００２】
特許文献１には、携帯電話の発する着信音を消音するためのマナー操作の設定に対してポイントを付与する方法と、取得ポイントに応じて特典を還元するサービスシステムとが開示されている。このような特許文献１の技術によれば、着信音の消音設定が必要となる公共性の高い場所において、マナーモードの設定が促進される。
【特許文献１】特開２００５−１３０４１０号公報
【発明の開示】
【発明が解決しようとする課題】
【０００３】
公共性の高い環境においては、着信音だけでなく、通話中の話し声も控える必要がある。しかし、特許文献１の技術では、マナーモードの設定、すなわち着信音の消音設定の有無のみに応じてサービスポイントが付与されるので、マナーモードの設定中に着信に応答し通話した場合であってもサービスポイントが付与されてしまう。従って、公共性に配慮した携帯電話の使用の促進を図るのは困難である。
【０００４】
そこで本発明の目的は、公共性に配慮した移動通信端末の使用を促進するためのサービスポイントが付与される移動通信端末と、この移動通信端末にサービスポイントを付与するサービスポイント付与サーバと、この移動通信端末にサービスポイントを付与するサービスポイント付与方法とを提供することである。
【課題を解決するための手段】
【０００７】
本発明は、移動通信端末にサービスポイントを付与するサービスポイント付与サーバであって、上記移動通信端末への着信が、予め設定された場所において予め設定された時間内にあり且つマナーモードの実行中にある、という着信条件を満たしている旨を示す第１のデータと、上記移動通信端末が上記着信に応答したか否かを示す第２のデータとを受信する受信手段と、上記移動通信端末が上記着信に応答したか否かを上記第２のデータに基づいて判定する判定手段と、上記第１のデータが上記受信手段により受信されたこと、及び、上記移動通信端末が上記着信に応答しなかったと上記判定手段により判定されたこと、を条件に含むサービスポイントの付与条件が満たされた場合に、このサービスポイントを上記移動通信端末に関連付けてメモリに記録するサービスポイント付与手段とを備え、上記受信手段は、上記着信を行った発信端末の位置と上記移動通信端末の位置とを含む第３のデータを受信し、上記判定手段は、上記発信端末の位置が前記移動通信端末の位置から所定の範囲内に有るか否かを上記第３のデータに基づいて判定し、上記ポイント付与手段は、上記発信端末の位置が上記移動通信端末の位置から上記範囲内に無いと上記判定手段により判定されたことを更に条件に含む上記サービスポイントの付与条件が満たされた場合に、上記サービスポイントを上記移動通信端末に関連付けて上記メモリに記録することを特徴とする。
【０００８】
本発明によれば、予め設定された場所及び時間に着信があった場合にマナーモードに設定されているということと、この着信に移動通信端末が応答しなかったこととがサービスポイントの付与条件を構成しているので、単に、予め設定された場所及び時間にマナーモードが設定されているというだけでなく、着信があっても応答しなかった場合でなければ、サービスポイントは付与されない。従って、公共性に配慮した移動通信端末の使用を促進するためのサービスポイントの付与が可能なサービスポイント付与サーバが提供できる。また、発信端末が移動通信端末に着信を行うことと、この着信に対する応答を移動通信端末が行わないこととを複数回繰り返すことにより、サービスポイントが不正に取得される虞がある。このような二つの端末は、互に連絡が取りやすく共謀しやすい場所、すなわち、同一時間内において所定の範囲内にある場合が多い。そこで、本発明のように、発信端末が、移動通信端末から所定の範囲内に無い場合を条件にサービスポイントが付与されれば、サービスポイントの不正取得を防止できる。
【０００９】
本発明は、マナーモードに設定可能な移動通信端末であって、当該移動通信端末への着信が、予め設定された場所において予め設定された時間内にあり且つ上記マナーモードの実行中にある、という着信条件を満たしているか否かを判定する判定手段と、上記着信が上記着信条件を満たしていると上記判定手段により判定された場合に、サービスポイント付与サーバ宛に、上記判定手段による判定結果を示すデータを送信する送信手段とを備え、上記サービス付与サーバは、上記移動通信端末への着信が、予め設定された場所において予め設定された時間内にあり且つマナーモードの実行中にある、という着信条件を満たしている旨を示す第１のデータと、上記移動通信端末が上記着信に応答したか否かを示す第２のデータとを受信する受信手段と、上記移動通信端末が上記着信に応答したか否かを上記第２のデータに基づいて判定する判定手段と、上記第１のデータが上記受信手段により受信されたこと、及び、上記移動通信端末が上記着信に応答しなかったと上記判定手段により判定されたこと、を条件に含むサービスポイントの付与条件が満たされた場合に、このサービスポイントを上記移動通信端末に関連付けてメモリに記録するサービスポイント付与手段とを備え、上記受信手段は、上記着信を行った発信端末の位置と上記移動通信端末の位置とを含む第３のデータを受信し、上記判定手段は、上記発信端末の位置が前記移動通信端末の位置から所定の範囲内に有るか否かを上記第３のデータに基づいて判定し、上記ポイント付与手段は、上記発信端末の位置が上記移動通信端末の位置から上記範囲内に無いと上記判定手段により判定されたことを更に条件に含む上記サービスポイントの付与条件が満たされた場合に、上記サービスポイントを上記移動通信端末に関連付けて上記メモリに記録することを特徴とする。
【００１０】
本発明によれば、予め設定された場所及び時間に着信があった場合にマナーモードに設定されているということと、この着信に移動通信端末が応答しなかったこととがサービスポイントの付与条件を構成しているので、単に、予め設定された場所及び時間にマナーモードが設定されているというだけでなく、着信があっても応答しなかった場合でなければ、サービスポイントは付与されない。従って、公共性に配慮した移動通信端末の使用を促進するためのサービスポイントが付与される移動通信端末が実現できる。また、サービスポイント付与サーバは、発信端末が、移動通信端末から所定の範囲内に無い場合を条件にサービスポイントが付与するので、サービスポイントの不正取得を防止できる。
【００１１】
本発明は、マナーモードに設定可能な移動通信端末にサービスポイントを付与するサービスポイント付与方法であって、上記移動通信端末への着信が、予め設定された場所において予め設定された時間内にあり且つ前記マナーモードの実行中にある、という着信条件を満たしているか否かを判定する第１の判定ステップと、上記移動通信端末が前記着信に応答したか否かを判定する第２の判定ステップと、上記着信を行った発信端末の位置が上記移動通信端末の位置から所定の範囲内に有るか否かを判定する第３の判定ステップと、上記着信が前記着信条件を満たしていると前記第１の判定ステップにおいて判定されたこと、及び、前記移動通信端末が前記着信に応答しなかったと前記第２の判定ステップにおいて判定されたこと、上記発信端末の位置が上記移動通信端末の位置から上記範囲内に無いと上記第３の判定ステップにおいて判定されたことを条件に含むサービスポイントの付与条件が満たされた場合に、該サービスポイントを前記移動通信端末に関連づけてメモリに記録するサービスポイント付与ステップとを有する、ことを特徴とする。
【００１２】
本発明によれば、予め設定された場所及び時間に着信があった場合にマナーモードに設定されているということと、この着信に移動通信端末が応答しなかったこととがサービスポイントの付与条件を構成しているので、単に、予め設定された場所及び時間にマナーモードが設定されているというだけでなく、着信があっても応答しなかった場合でなければ、サービスポイントは付与されない。従って、公共性に配慮した移動通信端末の使用を促進するためのサービスポイントの付与が可能なサービスポイント付与方法が提供できる。また、発信端末が、移動通信端末から所定の範囲内に無い場合を条件にサービスポイントを付与しているので、サービスポイントの不正取得を防止できる。
【発明の効果】
【００１３】
本発明によれば、公共性に配慮した移動通信端末の使用を促進するためのサービスポイントが付与される移動通信端末と、この移動通信端末にサービスポイントを付与するサービスポイント付与サーバと、この移動通信端末にサービスポイントを付与するサービスポイント付与方法とが提供できる。
【発明を実施するための最良の形態】
【００１４】
以下、図面を参照して、本発明に係る好適な実施形態について詳細に説明する。なお、図面の説明において、可能な場合には、同一要素には同一符号を付し、重複する説明を省略する。図１に、実施形態に係る通信システム１の構成を示す。通信システム１は、移動通信端末２、呼制御装置４、加入者情報管理装置６、サービスポイント付与サーバ８、サービス提供事業者サーバ１０及び認証装置１２を備える。移動通信端末２は、呼制御装置４及び加入者情報管理装置６を含む移動通信ネットワークＮと無線通信が可能である。呼制御装置４は加入者情報管理装置６に接続されており、加入者情報管理装置６はサービスポイント付与サーバ８に接続されており、サービス提供事業者サーバ１０はサービスポイント付与サーバ８に接続されている。認証装置１２はサービス提供事業者サーバ１０に接続されている。
【００１５】
移動通信端末２は、マナーモードの設定が可能な携帯電話等であり、呼制御装置４及び加入者情報管理装置６を含む移動通信ネットワークＮを介して通話やデータ通信（以下、通話やデータ通信を単に通信という場合がある。）を行う。呼制御装置４は、外部（発信した移動通信端末であり、以下、発信端末という。）から移動通信ネットワークＮを介して移動通信端末２に着信がある場合に、移動通信端末２に呼接続を行う。加入者情報管理装置６は、移動通信端末２の位置の登録を行い、この登録済みの位置を、移動通信端末２の電話番号に紐付けて管理する。
【００１６】
サービスポイント付与サーバ８は、移動通信端末２に対してサービスポイントを付与する。なお、サービスポイント付与サーバ８は、移動通信端末２に対するペナルティー等に応じてサービスポイントの減算を行う場合もある。サービスポイント付与サーバ８は、サービスポイントを移動通信端末２の電話番号に紐付けて管理する。サービスポイント付与サーバ８は、サービスポイントを、サービス提供事業者サーバ１０に通知可能である。
【００１７】
サービス提供事業者サーバ１０は、各種サービスを提供するサービス提供業者の有するサーバである。このサービス提供業者の提供するサービスとしては、例えば、音楽会、演劇、学術会議等の開催や、交通機関、医療等の提供等であり、何れも着信音を消音して通話を控えるべき公共性の高いサービスである。認証装置１２は、このようなサービスの提供される場所に設置されており、例えば、非接触ＩＣカードリーダライタ等を有する改札装置等である。この場合、移動通信端末２は、非接触ＩＣカードを搭載する。
【００１８】
次に、図２及び図３を参照して、移動通信端末２の構成を説明する。移動通信端末２は、物理的には、ＣＰＵ２ａ、ＲＡＭ２ｂ、ＲＯＭ２ｃ、入力装置２ｄ、出力装置２ｅ、通信装置２ｆ、記録装置２ｇ、測位装置２ｈ及びバイブレータ２ｉを有しており、これらはバス２ｊに接続されている。ＣＰＵ２ａは、ＲＯＭ２ｃ等の内蔵メモリに格納された所定のコンピュータソフトウェア（コンピュータプログラム）をＲＡＭ２ｂにロードして実行することにより、移動通信端末２を統括的に制御する。また、ＣＰＵ２ａは、現在の日時を計時する。
【００１９】
入力装置２ｄは、データ入力用デバイスであり、例えば各種入力キーである。入力装置２ｄは、入力されたデータをＣＰＵ２ａに出力する。出力装置２ｅは、ＬＣＤ等を有する表示装置であり、ＣＰＵ２ａから入力されたデータをＬＣＤ等に表示する。通信装置２ｆは、移動通信ネットワークＮを介して、呼制御装置４及び加入者情報管理装置６と通信し、外部からの発信端末と通信するためのインターフェイスを有している。
【００２０】
記録装置２ｇは、読み出し／書き込み自在なメモリであり、サービス提供事業者サーバ１０から発行される入場券データや、ＣＰＵ２ａの実行可能なコンピュータソフトウェア等を格納する。この入場券データは、例えば、音楽会、演劇、学術会議の入場券、病院の診察予約券、交通機関の切付等の電子データである。入場券データには、サービスの名称、サービスの提供場所、サービスの提供時間（開始日時及び終了日時）等、サービスの提供に必要な各種データが含まれている。なお、サービスの提供時間に終了日時が設定されていない場合、移動通信端末２は、サービスの提供時間の開始日時から、予め設定されたデフォルトの時間（例えば、サービスの名称に応じた複数の時間が利用可能である。）の経過した日時を算出し、この算出した日時を終了日時に設定する。また、サービス提供事業者サーバ１０は、移動通信端末２に発行した入場券データと同一のデータを、移動通信端末２の電話番号に紐付けて管理している。
【００２１】
測位装置２ｈは、ＧＰＳ信号を受信し、このＧＰＳ信号に基づいて移動通信端末２の現在位置を算出する。バイブレータ２ｉは、マナーモードに設定されている場合に、振動によってユーザに着信を知らせるための装置である。
【００２２】
移動通信端末２のＣＰＵ２ａは、図３に示す複数の機能を実現する。すなわち、移動通信端末２は、機能的には、記録部２２、確認部２４、判定部２６及び送信部２８を有する。これらの記録部２２〜送信部２８は、ＣＰＵ２ａがコンピュータソフトウェアを実行し、図２に示す移動通信端末２の各構成部を動作させることにより実現される機能である。特に、ＣＰＵ２ａは、記録部２２〜送信部２８を用いて、図６のシーケンスの処理を実行する。
【００２３】
記録部２２は、サービス提供事業者サーバ１０から発行された入場券データを記録装置２ｇに記録する。確認部２４は、記録装置２ｇに記録された入場券データに含まれるサービスの提供場所及びサービスの提供時間を示すデータを参照して、移動通信端末２がサービスの提供時間内にサービスの提供場所に有ることを確認する。例えば、移動通信端末２が認証装置１２を通過すると、確認部２４は、移動通信端末２の電話番号を認証装置１２を介してサービス提供事業者サーバ１０に送信し、サービス提供事業者サーバ１０は、この送信された移動通信端末２の電話番号に紐付けられた入場券データのコピーを検索し、移動通信端末２がサービスの提供時間内にサービスの提供場所に有ることを確認し、この確認結果を移動通信端末２に通知する。そして、確認部２４は、この確認結果の通知をサービス提供事業者サーバ１０から受けると、この通知を入場券データに紐付けて記録装置２ｇに記録する。このようにして、移動通信端末２がサービスの提供時間内にサービスの提供場所に有るということが、確認部２４によって確認される。
【００２４】
判定部２６は、移動通信端末２に着信があると、この着信が、確認部２４によって確認されたサービスの提供場所（予め設定された場所であって、記録装置２ｇに格納された入場券データに含まれているサービスの提供場所）において、確認部２４によって確認されたサービスの提供時間（予め設定された時間であって、記録装置２ｇに格納された入場券データに含まれているサービスの提供時間）内にあり、且つ、マナーモードの実行中にある、という着信条件を満たしているか否かを判定する。
【００２５】
送信部２８は、移動通信端末２に対する着信が上記の着信条件を満たしていると判定部２６により判定された場合に、判定部２６による判定結果（すなわち、移動通信端末２に対する着信が着信条件を満たしている旨）を示す第１のデータ（移動通信端末２の電話番号と発信端末の電話番号とを含む。以下、同様。）を、サービスポイント付与サーバ８宛に送信する。なお、サービスポイント付与サーバ８は、着信条件が満たされたこと（第１のデータを受信したこと）、及び、第１のデータに係る着信に移動通信端末２が応答しなかったこと、を条件に含むサービスポイントの付与条件を満たした移動通信端末２に付与するサービスポイントを、移動通信端末２の電話番号に紐付けて（関連づけて）記録装置８ｅに記録する。
【００２６】
次に、図４及び図５を参照して、サービスポイント付与サーバ８の構成を説明する。サービスポイント付与サーバ８は、物理的には、ＣＰＵ８ａ、ＲＡＭ８ｂ、ＲＯＭ８ｃ、通信装置８ｄ及び記録装置８ｅを有しており、これらはバス８ｆに接続されている。ＣＰＵ８ａは、ＲＯＭ８ｃ等の内蔵メモリに格納された所定のコンピュータソフトウェア（コンピュータプログラム）をＲＡＭ８ｂにロードして実行することにより、サービスポイント付与サーバ８を統括的に制御する。
【００２７】
通信装置８ｄは、移動通信ネットワークＮを介して加入者情報管理装置６と通信するためのインターフェイスや、サービス提供事業者サーバ１０と通信するためのインターフェイス等を有している。記録装置８ｅは、読み出し／書き込み自在なメモリであり、移動通信端末２に付与するサービスポイントを、移動通信端末２の電話番号に紐付けて記録する。
【００２８】
サービスポイント付与サーバ８のＣＰＵ８ａは、図５に示す複数の機能を実現する。すなわち、サービスポイント付与サーバ８は、機能的には、受信部８２、判定部８４及びサービスポイント付与部８６を有する。これらの受信部８２〜サービスポイント付与部８６は、ＣＰＵ８ａがコンピュータソフトウェアを実行し、図４に示すサービスポイント付与サーバ８の各構成部を動作させることにより実現される機能である。特に、ＣＰＵ８ａは、受信部８２〜サービスポイント付与部８６を用いて、図６のシーケンスの処理を実行する。
【００２９】
受信部８２は、移動通信端末２への着信が着信条件を満たしている旨を示す第１のデータを加入者情報管理装置６から受信する。受信部８２は、移動通信端末２が着信に応答したか否かを示す第２のデータ（移動通信端末２の電話番号を含む。以下、同様。）を呼制御装置４から受信する。受信部８２は、移動通信端末２に着信を行った発信端末の位置と移動通信端末２の位置とを含む第３のデータ（発信端末の位置と発信端末の電話番号とは紐付けされており、移動通信端末２の位置と移動通信端末２の電話番号とは紐付けされている。以下、同様。）を加入者情報管理装置６から受信する。なお、受信部８２は、呼制御装置４から第１のデータを直接受信してもよい。この場合、加入者情報管理装置６は、第１のデータをサービスポイント付与サーバ８に送信しない。
【００３０】
判定部８４は、サービスの提供場所及び提供時間内に移動通信端末２にあった着信（受信部８２により受信された第１のデータに係る着信）に移動通信端末２が応答したか否かを、受信部８２により受信された第２のデータに基づいて判定する。また、判定部８４は、移動通信端末２への着信を行った発信端末の位置が移動通信端末２の位置から所定の範囲Ｅ内にあるか否かを、受信部８２により受信された第３のデータに基づいて判定する。この範囲Ｅとは、入場券データに含まれるサービスの提供場所内にある。
【００３１】
サービスポイント付与部８６は、第１のデータが受信部８２により受信されたこと（すなわち、着信条件が満たされたこと）、サービスの提供場所及び提供時間内に移動通信端末２にあった着信（第１のデータに係る着信）に移動通信端末２が応答しなかったと判定部８４により判定されたこと、及び、この着信を行った発信端末の位置が移動通信端末２の位置から範囲Ｅ内に無いと判定部８４により判定されたこと、を条件に含むサービスポイントの付与条件が満たされた場合に、移動通信端末２に付与するサービスポイントを移動通信端末２の電話番号に紐付けて記録装置８ｅに記録する。サービスポイント付与部８６は、移動通信端末２に付与した全サービスポイントの合計と、既に利用済みのサービスポイントの合計と、サービスポイントの現在高（両合計の差分）と、サービスポイントの付与及び利用の履歴と、を記録装置８ｅに記録する。
【００３２】
なお、サービスポイント付与部８６は、第１のデータが受信部８２により受信されたこと（すなわち、着信条件が満たされたこと）、及び、サービスの提供場所及び提供時間内に移動通信端末２にあった着信（第１のデータに係る着信）に移動通信端末２が応答しなかったと判定部８４により判定されたことのみを条件に含むサービスポイントの付与条件が満たされた場合に、サービスポイントを移動通信端末２の電話番号に紐付けて記録装置８ｅに記録してもよい。
【００３３】
次に、図６を参照して、通信システム１の動作を説明する。まず、移動通信端末２の記録部２２は、サービス提供事業者サーバ１０から発行された入場券データを記録装置２ｇに格納する（ステップＳ１、第１の判定ステップ）。ステップＳ１の後、移動通信端末２の確認部２４は、移動通信端末２がサービスの提供時間にサービスの提供場所にあることをサービス提供事業者サーバ１０に確認する（ステップＳ２）。そして、移動通信端末２は、このステップＳ２の処理をトリガとして、後述のステップＳ４〜ステップＳ６の処理を行う。
【００３４】
なお、確認部２４は、移動通信端末２がサービスの提供時間にサービスの提供場所にあることを、認証装置１２及びサービス提供事業者サーバ１０を用いずに確認してもよい。例えば、確認部２４は、入場券データを参照してサービスの提供時間の開始時に至ったと判断すると、測位装置２ｈを用いて移動通信端末２の現在位置を測位し、この測位により得られた移動通信端末２の現在位置がサービスの提供場所にあることを確認してもよい。
【００３５】
ステップＳ２の後、外部の発信端末から移動通信端末２への着信要求が呼制御装置４に行われると（ステップＳ３）、移動通信端末２は呼制御装置４を介してこの着信を受ける（ステップＳ４）。そして、ステップＳ４の後、移動通信端末２の判定部２６は、この着信が着信条件を満たしているか否かを判定する（ステップＳ５）。ステップＳ５において、ステップＳ４の着信が着信条件を満たしていないと判定部２６により判定された場合（ステップＳ５；Ｎｏ）、処理は終了され（又は、他の端末からの着信待ちとなり）、ステップＳ４の着信が着信条件を満たしていると判定部２６により判定された場合（ステップＳ５；Ｙｅｓ）、送信部２８は、サービスポイント付与サーバ８宛の第１のデータを呼制御装置４に送信する（ステップＳ６）。
【００３６】
ステップＳ６の後、呼制御装置４は、移動通信端末２から第１のデータを受けると（ステップＳ７）、この第１のデータを加入者情報管理装置６に送信する（ステップＳ８）。ステップＳ８の後、加入者情報管理装置６は、呼制御装置４から第１のデータを受けると（ステップＳ９）、この第１のデータをサービスポイント付与サーバ８に送信し（ステップＳ１０）、サービスポイント付与サーバ８の受信部８２は、この加入者情報管理装置６からの第１のデータを受ける（ステップＳ１１）。ステップＳ１１の後、サービスポイント付与部８６は、移動通信端末２に対するサービスポイント付与処理（ステップＳ１６〜ステップＳ２０）を開始する（ステップＳ１２）。
【００３７】
呼制御装置４は、ステップＳ７において第１のデータを受けた後、移動通信端末２が着信に応答したことによって、又は、発信端末が通信を切断したことによって着信要求が終了すると（ステップＳ１３）、移動通信端末２が第１のデータに係る着信に応答したか否かを示す第２のデータをサービスポイント付与サーバ８に送信する（ステップＳ１４）。加入者情報管理装置６は、ステップＳ９において第１のデータを受けた後、第１のデータに含まれている発信端末の電話番号と移動通信端末２の電話番号とをキーに、発信端末の位置と移動通信端末２の位置とを検索し、この検索によって得られた発信端末の位置と移動通信端末２の位置とを含む第３のデータをサービスポイント付与サーバ８に送信する（ステップＳ１５）。
【００３８】
サービスポイント付与サーバ８の受信部８２がステップＳ１２の後に第２のデータを呼制御装置４から受けると（ステップＳ１６）、判定部８４は、移動通信端末２が第１のデータに係る着信に応答したか否かを第２のデータに基づいて判定する（ステップＳ１７、第２の判定ステップ）。受信部８２がステップＳ１２の後に第３のデータを加入者情報管理装置６から受けると（ステップＳ１８）、判定部８４は、発信端末の位置が移動通信端末２の位置から範囲Ｅ内にあるか否かを第３のデータに基づいて判定する（ステップＳ１９）。なお、第２のデータについては、サービスポイント付与サーバ８が、ステップＳ１２の後に呼制御装置４に要求して取得するようにしても良いし、第３のデータについては、サービスポイント付与サーバ８が、ステップＳ１２の後に加入者情報管理装置６に要求して取得するようにしても良い。
【００３９】
そして、ステップＳ１７において移動通信端末２が着信に応答しなかったと判定部８４によって判定された場合（ステップＳ１７；Ｎｏ、サービスポイント付与ステップ）、更に、ステップＳ１９において発信端末の位置が移動通信端末２の位置から範囲Ｅ内に無いと判定部８４によって判定された場合（ステップＳ１９；Ｎｏ）に（すなわち、サービスポイントの付与条件が満たされた場合に）、サービスポイント付与部８６は、サービスポイントを移動通信端末２の電話番号に紐付けて記録装置８ｅに記録する（すなわち、移動通信端末２の電話番号に紐付けられたサービスポイントを加算）する（ステップＳ２０、サービスポイント付与ステップ）。一方、ステップＳ１７において移動通信端末２が着信に応答したと判定部８４によって判定された場合（ステップＳ１７；Ｙｅｓ）、又は、ステップＳ１９において発信端末の位置が移動通信端末２の位置から範囲Ｅ内にあると判定部８４によって判定された場合（ステップＳ１９；Ｙｅｓ）には、処理が終了する。
【００４０】
なお、ステップＳ１７の実行タイミングがステップＳ１６の後であり、且つ、ステップＳ１９の実行タイミングがステップＳ１８の後であれば、ステップＳ１６の実行タイミングとステップＳ１８の実行タイミングとは、何れが先であってもよいし、ステップＳ１７の実行タイミングとステップＳ１９の実行タイミングとは、何れが先であってもよい。また、ステップＳ１５及びステップＳ１９を省略して、ステップＳ２０（サービスポイントの付与）を行っても良い。
【００４１】
次に、サービスポイント付与サーバ８によって付与されたサービスポイントの利用形態について説明する。まず、電話事業者がサービスポイントを用いる場合の一例について説明する。電話事業者は、移動通信端末から着信要求を受けると、この移動通信端末の電話番号に紐付けされたサービスポイントが所定の閾値を越えているか否かを判定し、サービスポイントがこの閾値を越えていると判定した場合には、そのまま呼接続を行い、サービスポイントがこの閾値以下であると判定した場合には、例えば二回に一回の割合（５０％の接続率）で呼接続を行う。
【００４２】
このように、電話事業者は、サービスポイントに応じて、呼接続の接続率に優劣を付けることが可能となる。ユーザは、良好な呼接続の維持を希望するので、閾値を越えたサービスポイントの維持に努めるようになる。これにより、公共性に配慮した移動通信端末の使用が促進可能となる。
【００４３】
次いで、サービス提供事業者がサービスポイントを用いる場合の一例について説明する。サービス提供事業者は、移動通信端末からサービス提供の要求（例えば、チケット購入の申し込み等）を受けると、サービス提供が可能か否か（例えば、空席の有無）を確認し、サービス提供が可能な場合に、この移動通信端末の電話番号に紐付けされたサービスポイントの照会をサービスポイント付与サーバ８に行う。サービス提供事業者はサービスポイント付与サーバ８からサービスポイントの通知を受けると、このサービスポイントが所定の閾値を越えているか否かを判定し、サービスポイントがこの閾値を越えていると判定した場合には、サービス提供の契約を優先的に行い、サービスポイントがこの閾値以下であると判定した場合には、サービス提供の優先的契約が終了した時点でサービス提供の余地がある場合にのみサービス提供の契約を行う。
【００４４】
このように、サービス提供事業者は、サービスポイントに応じて、サービス提供の契約順位に優劣（先後）を付けることが可能となる。ユーザは、サービス提供の優先的な契約を希望するので、閾値を越えたサービスポイントの維持に努めるようになる。これにより、公共性に配慮した移動通信端末の使用が促進可能となる。
【００４５】
次に、移動通信端末２及びサービスポイント付与サーバ８の作用・効果を説明する。移動通信端末２は、マナーモードに設定可能な携帯電話等である。移動通信端末２は、判定部２６及び送信部２８を有する。判定部２６は、移動通信端末２への着信が、入場券データに含まれている予め設定されたサービス提供の場所において入場券データに含まれている予め設定されたサービス提供の時間内にあり且つマナーモードの実行中にある、という着信条件を満たしているか否かを判定する。送信部２８は、移動通信端末２への着信が着信条件を満たしていると判定部２６により判定された場合に、着信条件が満たされたこと、及び、この着信に移動通信端末２が応答しなかったこと、を条件に含むサービスポイントの付与条件を満たした移動通信端末に付与するサービスポイントをこの移動通信端末の電話番号に関連付けて記録装置８ｅに記録するサービスポイント付与サーバ８宛に、この判定部２６による判定結果を示すデータ（第１のデータ）を送信する。
【００４６】
このような移動通信端末２によれば、予め設定された場所及び時間に着信があった場合にマナーモードに設定されているということと、この着信に移動通信端末２が応答しなかったこととがサービスポイントの付与条件を構成しているので、単に、予め設定された場所及び時間にマナーモードが設定されているというだけでなく、着信があっても応答しなかった場合でなければ、サービスポイントは付与されない。従って、公共性に配慮した移動通信端末の使用を促進するためのサービスポイントが付与される移動通信端末２が実現できる。
【００４７】
サービスポイント付与サーバ８は、移動通信端末２にサービスポイントを付与する。サービスポイント付与サーバ８は、受信部８２、判定部８４及びサービスポイント付与部８６を有する。受信部８２は、移動通信端末２への着信が、入場券データに含まれている予め設定されたサービス提供の場所において入場券データに含まれている予め設定されたサービス提供の時間内にあり且つマナーモードの実行中にある、という着信条件を満たしている旨を示す第１のデータと、移動通信端末２が第１のデータに係る着信に応答したか否かを示す第２のデータとを受信する。判定部８４は、移動通信端末２が第１のデータに係る着信に応答したか否かを第２のデータに基づいて判定する。サービスポイント付与部８６は、第１のデータが受信部８２により受信されたこと（すなわち、着信条件が満たされたこと。）、及び、移動通信端末２が第１のデータに係る着信に応答しなかったと判定部８４により判定されたことを条件に含むサービスポイントの付与条件が満たされた場合に、サービスポイントを移動通信端末２の電話番号に関連づけて記録装置８ｅに記録する。
【００４８】
このようなサービスポイント付与サーバ８によれば、予め設定された場所及び時間に着信があった場合にマナーモードに設定されているということと、この着信に移動通信端末２が応答しなかったこととがサービスポイントの付与条件を構成しているので、単に、予め設定された場所及び時間にマナーモードが設定されているというだけでなく、着信があっても応答しなかった場合でなければ、サービスポイントは付与されない。従って、公共性に配慮した移動通信端末の使用を促進するためのサービスポイントの付与が可能なサービスポイント付与サーバ８が提供できる。
【００４９】
受信部８２は、着信を行った発信端末の位置と移動通信端末２の位置とを含む第３のデータを受信し、判定部８４は、発信端末の位置が移動通信端末２の位置から範囲Ｅ内に有るかを判定し、サービスポイント付与部８６は、発信端末の位置が移動通信端末２の位置から範囲Ｅ内に無いと判定部８４により判定されたことを更に条件に含むサービスポイントの付与条件が満たされた場合に、サービスポイントを移動通信端末２の電話番号に関連づけて記録装置８ｅに記録しても良い。
【００５０】
発信端末が移動通信端末２に着信を行うことと、この着信に対する応答を移動通信端末２が行わないこととを複数回繰り返すことにより、サービスポイントが不正に取得される虞がある。このような二つの端末は、互に連絡が取りやすく共謀しやすい場所、すなわち、同一時間内において所定の範囲内にある場合が多い。そこで、発信端末が、移動通信端末２から範囲Ｅ内に無い場合を条件にサービスポイントが付与されれば、サービスポイントの不正取得を防止できる。
【図面の簡単な説明】
【００５１】
【図１】実施形態に係る通信システムの構成を示す図である。
【図２】実施形態に係る移動通信端末の構成を示す図である。
【図３】実施形態に係る移動通信端末の構成を示す図である。
【図４】実施形態に係るサービスポイント付与サーバの構成を示す図である。
【図５】実施形態に係るサービスポイント付与サーバの構成を示す図である。
【図６】実施形態に係る通信システムの動作を説明するためのシーケンスである。
【符号の説明】
【００５２】
１…通信システム、１０…サービス提供事業者サーバ、１２…認証装置、２…移動通信端末、２２…記録部、２４…確認部、２６，８４…判定部、２８…送信部、２ａ，８ａ…ＣＰＵ、２ｂ，８ｂ…ＲＡＭ、２ｃ，８ｃ…ＲＯＭ、２ｄ…入力装置、２ｅ…出力装置、２ｆ，８ｄ…通信装置、２ｇ，８ｅ…記録装置、２ｈ…測位装置、２ｉ…バイブレータ、２ｊ，８ｆ…バス、４…呼制御装置、６…加入者情報管理装置、８…サービスポイント付与サーバ、８２…受信部、８６…サービスポイント付与部、Ｎ…移動通信ネットワーク
【図１】
0005107672.tif 000002
【図２】
0005107672.tif 000003
【図３】
0005107672.tif 000004
【図４】
0005107672.tif 000005
【図５】
0005107672.tif 000006
【図６】
0005107672.tif 000007